(57)【要約】【課題】  遠赤外線による効率的な足の暖めのほかに、足裏マッサージ効果と、マイナスイオンの放出と、に伴う健康維持及びリラックス効果を得ることができる足温器を提供する。【解決手段】  足収納部１と、該足収納部１の底部に設けられた発熱体２と、該発熱体２の上面に充填された遠赤外線放射粒子１１と、からなる足温器であり、好ましくは、前記遠赤外線放射粒子が、黄土であり、また、セラミックであり、さらに好ましくは、前記足収納部１が膝下まで収納可能に深く構成され、膝下部までの内側面に発熱体２が設けられてなる。【選択図】図３
0003128880.tif 000002
【実用新案登録請求の範囲】
【請求項１】
足収納部と、該足収納部の底部に設けられた発熱体と、該発熱体の上面に充填された遠赤外線放射粒子と、からなることを特徴とする足温器。
【請求項２】
遠赤外線放射粒子が黄土からなることを特徴とする請求項１に記載の足温器。
【請求項３】
遠赤外線放射粒子がセラミックからなることを特徴とする請求項１に記載の足温器。
【請求項４】
足収納部が膝下まで収納可能に深く構成され膝下までの内側面に発熱体が設けられてなることを特徴とする請求項１、２又は３に記載の足温器。
【請求項５】
発熱体がシリコン被覆熱線であることを特徴とする請求項１、２、３又は４に記載の足温器。
【請求項６】
発熱体が黄土含浸素材で被覆されてなることを特徴とする請求項１、２、３、４又は５に記載の足温器。
【考案の詳細な説明】
【技術分野】
【０００１】
本考案は、足温器に関し、詳しくは、遠赤外線による温めのほかに、マッサージ効果と、マイナスイオン放出と、に伴う健康維持及びリラックス効果が得られる足温器に関する。
【背景技術】
【０００２】
従来、足温器本体の足が入る大きさの内部空間に足を出し入れする開口部を設け、足を入れた開口部を密閉する手段を設け、同足温器本体の内部に遠赤外線又は赤外線を発光するランプを設け、同足温器本体の内部を多湿雰囲気にする加湿手段を設けた遠赤外線又は赤外線を用いた足温器（特開２０００−５１３７６号公報）が提案されている。
【０００３】
その他、燃料ガスを貯蔵する燃料タンク、前記燃料ガスと空気を酸化反応させて熱を発生させる触媒燃焼加熱部、前記触媒燃焼加熱部で発生する熱を検知して同触媒燃焼加熱部を任意の温度に制御する制御部を有する発熱部と、前記発熱部によって加熱される足収納部とを具備し、前記足収納部の一部または全部を展開可能に構成した足温器（特開２００１−２２４６２３号公報）が提案されている。
【特許文献１】特開２０００−５１３７６号公報
【特許文献１】特開２００１−２２４６２３号公報
【考案の開示】
【考案が解決しようとする課題】
【０００４】
前記従来の足温器は、専ら、遠赤外線、赤外線、その他の方法による温めを目的とするものであった。本発明は、遠赤外線による効率的な足の温めのほかに、マッサージ効果と、マイナスイオンの放出と、に伴う健康維持及びリラックス効果を得ることができる足温器を提供することを目的とする。
【課題を解決するための手段】
【０００５】
前記目的達成のために、本考案は、足収納部と、該足収納部の底部に設けられた発熱体と、該発熱体の上面に充填された遠赤外線放射粒子と、からなる構成としたものである（請求項１）。
【０００６】
本考案では、少なくとも足首部が収納される足収納部の底部に、発熱体が設けられ、該発熱体の上面に遠赤外線放射粒子が充填される。該遠赤外線放射粒子の径は限定されないが、自ずと足収納部の大きさによって制限され、また、後に述べるマッサージ効果を得るに好適な大きさ、例えば、径が１〜１０ｍｍ程度に形成される。なお、前記遠赤外線放射粒子は一層のみではなく多層に充填してもよい。また、前記足収納部は両足が同時に収納されるように形成される。
【０００７】
前記本考案では、前記発熱体に通電して発熱させると、該発熱体の上面に充填された前記遠赤外線放射粒子が温められて遠赤外線が多量に放出される。その後、椅子に座った状態で前記足収納部に両足を入れると、足裏が前記温められた遠赤外線放射粒子に接触して遠赤外線によって足裏が温められる。
【０００８】
同時に、前記遠赤外線放射粒子に足裏を押し付けたり、また、前記足収納部の内部において足を前後左右に移動させることにより前記遠赤外線放射粒子による足裏マッサージ効果を得ることができる。なお、前記効果は靴下を履いた状態でも同様に得られる。
【０００９】
前記のごとくして、遠赤外線による温めと足裏マッサージ効果により血行が促進され、冷え性や足のむくみの解消に役立ち、疲労回復効果が得られる。さらに遠赤外線とともにマイナスイオンの放出が行われる遠赤外線放射粒子を採用することにより人体の活性酸素が消去され、酸化が抑制されて健康維持及びリラックス効果を得ることができる。
【００１０】
本考案の実施の一形態は、前記遠赤外線放射粒子が黄土からなることを特徴とする（請求項２）。黄土は、黄灰色のアルカリ性の土壌であり、ケイ酸、アルミナ、石灰分、ミネラル、酵素、微生物等を含み、農地の土壌添加、建築資材、飼料添加剤、医薬品、化粧品添加剤等として各方面に利用され、加熱により遠赤外線とともにマイナスイオンを放出するとされている。なお、前記黄土の粒子化は、焼結、その他、固結材の使用によっても行われる。
【００１１】
本考案の実施の一形態は、前記遠赤外線放射粒子がセラミックからなることを特徴とする（請求項３）。この実施の一形態では、好ましくは、遠赤外線の放射のみならず、マイナスイオンを放出するセラミックが使用される。
【００１２】
本考案の実施の一形態は、足収納部が膝下まで収納可能に深く構成されその内側面に発熱体が設けられたことを特徴とする（請求項４）。この実施の一形態における発熱体は、予め、前記底部に設けられた発熱体と一体に形成することが好ましい。この実施の一形態によれば、足裏、足首部のみならず、膝下全体が温められて血行の促進がさらに高められる。
【００１３】
本考案の実施の一形態は、発熱体がシリコン被覆熱線であることを特徴とする（請求項５）。この実施の一形態によれば、発熱体の損傷防止等の安全性が確保される。
【００１４】
本考案の実施の一形態は、発熱体を黄土含浸素材で被覆したことを特徴とする（請求項６）。この実施の一形態によれば、特に、前記請求項４の場合にあって、前記遠赤外線放射粒子による足裏等の温め作用に加えて、該遠赤外線放射粒子から離れた膝下部に対しても前記黄土含浸素材によって遠赤外線による温めが行われ、血行の促進が一段と高められる。
【考案の効果】
【００１５】
本考案の足温器によれば、遠赤外線による効率的な足の温めのほかに、マッサージ効果と、マイナスイオンの放出と、に伴う健康維持及びリラックス効果を得ることができる。
【考案を実施するための最良の形態】
【００１６】
以下に、本考案を実施するための最良の形態を図面に基づいて説明する。図１は、分解斜視図、図２は、発熱体の拡大断面図、図３は、使用状態を示す一部切り欠き斜視図である。
【００１７】
図中、１は本体部、２は発熱体である。すなわち、図面実施の一形態では、製造及び取扱いの容易性から、前記本体部１に発熱体２を一体に組み込むことなく別々に構成している。
【００１８】
前記本体部１は、保温性に富んだ繊維素材等からなり、側面視で長靴に似た形状とされて、両足及びその膝下までが余裕をもって収納される大きさに構成されている。
【００１９】
前記発熱体２は、図面実施の一形態では、前記本体部１の内部の底部及び前後方向を覆う大きさのシート状に形成され、可撓性を有し、使用時に前記本体部１の内部に挿入及びセットされるものである。
【００２０】
前記発熱体２は、図２に示すように、シリコン被覆熱線３の両面を不織布４で覆い、さらに該それぞれの不織布４の外面を黄土含浸素材５で被覆してなる。該黄土含浸素材５は、溶解した黄土の中に繊維素材等を浸漬、乾燥させる等して構成される。
【００２１】
前記足温器の使用時には、前記本体部１の内部に、前記発熱体２が挿入及びセットされる。図面実施の一形態では、予め、前記本体部１の内側面に面ファスナー６が設けられ、一方、前記発熱体２の裏面に前記面ファスナー６と係合する面ファスナー７が設けられて、該面ファスナー７と前記面ファスナー６が係合させられて一体に形成される。なお、前記面ファスナー６及び７に代えて、いわゆるスナップ等の留め具であってもよい。
【００２２】
なお、図中、８は前記発熱体２に設けられた電源接続部、９は、前記本体部１に設けられた前記発熱体２の電源コード１０の挿通口である。また、前記発熱体２には、詳細を図示しないが、フューズ、バイメタル、温度センサー等の安全装置が設けられるほか、温度制御等をリモートコントロールできるように構成されている。
【００２３】
つぎに、図３に示すように、前記本体部１の内部に挿入及びセットされた発熱体２の上面に遠赤外線放射粒子１１が充填される。該遠赤外線放射粒子１１としては、すでに述べた黄土からなる粒子、あるいはセラミックからなる粒子が用いられる。
【００２４】
前記構成の本考案では、まず、前記発熱体２の電源を入れて、該発熱体２の上面に充填した遠赤外線放射粒子１１を中温程度に温めた後、好ましくは、靴下を履いて椅子１２に座った状態で前記足収納部１に両足をいれて一回、３０〜４０分の足浴を、症状に応じて１日数回行えばよい。
【００２５】
その結果、前記遠赤外線放射粒子１１から放射される遠赤外線によって、足裏が温められて血行が促進され、冷え性や足のむくみが解消され、疲労回復効果が得られるものである。
【００２６】
本考案では、前記足裏の温めのみならず、前記遠赤外線放射粒子１１に足裏を押し付けたり、また、前記足収納部１内で前後左右に足を移動させることにより前記遠赤外線放射粒子１１によって足裏マッサージ効果が得られるものである。
【００２７】
さらに、遠赤外線の放射とともにマイナスイオンが放射される黄土にあっては人体の活性酸素が除去され、酸化を防止して健康維持及びリラックス効果が得られるものである。
【図面の簡単な説明】
【００２８】
【図１】本考案に係る足温器の分解斜視図である。
【図２】発熱体の拡大断面図である。
【図３】本考案に係る足温器の使用状態を示す一部切り欠き斜視図である。
【符号の説明】
【００２９】
１    本体部
２    発熱体
３    シリコン熱線
１１  遠赤外線放射粒子
【図１】
0003128880.tif 000003
【図２】
0003128880.tif 000004
【図３】
0003128880.tif 000005